(57)【要約】【目的】歯を汚したら何時でも何処でも、即刻その場で水を使わないで歯磨きが行えて、水資源も節約できるコンパクトな歯ブラシであり、先が柔らかめ、普通、硬めの内から選んで、自分の歯の状態に適した歯ブラシで歯磨きが行えるセットなど、従来よりも便利で、使いよい機能を備えたシステムと歯ブラシを安価に提供する。【構成】歯ブラシのサイズを掌中に入るほどにし、１穴植毛と横列植毛コンパクト歯ブラシは１本のスティック上に植毛するが、毛の形状やデザインを変えて独立したブラシを諸々そろえ、デザインを変えたタイプ其々を束ねたセットも作る。連結装置付きの独立した植毛側に形状やデザインを変えた植毛を諸々作り、別に作った連結装置付き取っ手側と連結すると、同じく掌中に入るほどのサイズの、ジョイント式コンパクト歯ブラシとなる。従来の歯ブラシにおいても上記連結装置を援用して製造する事によりジョイント式歯ブラシと成るが掌中に入るほどのサイズではない。【選択図】      図６
2004249058.tif 000002
【特許請求の範囲】
【請求項１】
歯ブラシの植毛部１に１穴だけ植毛して成る、１穴植毛コンパクト歯ブラシ２を作る。
【請求項２】
歯ブラシの植毛部１に複数穴、横５列以内の植毛をして成る、横列植毛コンパクト歯ブラシ３を作る。
【請求項３】
植毛する毛の太さ、色彩形状、デザインを異にするタイプにして作る請求項１の歯ブラシ２や請求項２の歯ブラシ３において、其々異なるタイプの歯ブラシ複数本集め、歯ブラシの１方の端に設けてある穴４を介してリング５で束ねて成るコンパクト歯ブラシセット６を作る。
【請求項４】
歯ブラシの植毛側と取っ手側の間を二分し、二分した植毛側面に連結するバネ状のフック７を、取っ手側面には連結する先を筒状にしたスティックの中にフック止穴８を設けた連結装置を設け、其々互いに連結、開放して独立する取っ手側９と植毛側１０装置を作り、前記取っ手側９にあるフック止穴８には其々異なるタイプの前記植毛側１０にあるフック７をはめ込んで連結したり、はめ込みを外して連結を開放したりして植毛側１０を何度でも替えて前記取っ手側９に連結して使用することができるジョイント式歯ブラシ装置。
【請求項５】
請求項１．２の歯ブラシや従来より在る歯ブラシに、請求項４の装置か形の違う別の連結装置を装着した植毛側１０と取っ手側９を作り、其々を連結開放交換することが出来るジョイント式コンパクト歯ブラシ１１とジョイント式歯ブラシ１２。
【発明の詳細な説明】
【０００１】
【産業上の利用分野】
本発明は、資源を節約し、歯磨きを容易にする装置をした歯ブラシに関するものであり、異なるタイプの歯ブラシを束ねたり、独立した歯ブラシの植毛部を１本の柄に次々と連結したり、掌中に隠れるほどのコンパクト歯ブラシと装置と歯ブラシであり、専ら水やコップや歯磨き剤を一切使わずに、何時でも何処ででも素早く簡便に歯磨きが行える歯ブラシと装置に関するものであり、歯磨きが従来に比べ数倍も手軽に行える、大変シンプルな歯ブラシの製造に関するものである。
従来では、水やコップや磨き剤が無いと歯を磨かなかったし、農業や工場の現場で忙しく働いている時や長時間現場を離れる事が出来ない時などに、歯磨きをする事などはできない相談であったが、本発明では、それら満たされなかった問題を解決する為の歯ブラシを提供する。本発明の歯ブラシを使い新しい歯磨きの習慣が定着すれば、国民の歯周病予防に大きく貢献する。本発明品は全世界においても廉価に提供できるし、などの理由から幅広く飛躍的需要が継続して期待できるので、将来に向けた大量生産による産業上の波及効果は極めて大きいものと確信する。
【０００２】
【従来の技術】
従来の歯ブラシとその使い方は、ライフスタイルの変化に対応し得ないまま今日に至った。水とコップを用意して歯磨き剤を添え、全体的にデラックスな意匠を施した歯ブラシを使っているが、時々口からすすぎ水などを吐き捨てる等、歯磨きを行うには一定の環境下で時間を要していたから、色々な所で急に歯を汚しても、殆んど咄嗟に歯を磨ける環境でない。その都度、歯ブラシの植毛具合が異なる複数本の中から自分に適した歯ブラシを選んで使うことなど及ぶべくも無いし、歯の健康を考え１日数回歯磨の励行をしたいと強く認識している時でさえ、歯を磨ける環境が整っていないと歯磨きは出来なかった。
歯を汚した時その都度コツコツと歯磨きをする人はヒステリックな奇人ぐらいに思われる現状があり、普通の人が日常コツコツと歯を磨くことが難しく縁遠い事に成っていた。歯槽膿漏になってから医療保険で医療の世話になることにも慣れているから、この現状は長い間の生活習慣として浸透し省みられなかったから、国民の悪しき歯科衛生の実態が慢性的に改善されないでいる問題を抱え込んでいた。
【０００３】
【課題を解決する為の手段】
従来の問題について根源を突き詰めて観ると、歯を汚した時にコツコツと歯を磨ける状況が得られない従来歯ブラシの形状と使い方等に問題が在ったので、新しい歯ブラシとその使い方を提供して問題を解決する目的を掲げて次の手段を採る。
【０００４】
目的を達成する為の本発明歯ブラシと装置は、従来歯ブラシと関連用品及び歯磨き剤等の機能と形状並びに使われ方について徹底研究した結果の産物であり、手段として構ずる事は、従来に比べ数倍使いたくなる歯ブラシの提供であり、時と場所に関わらず、簡単に歯磨きが行えて、しかも安価で、その上地球に優しくエコロジーに貢献する歯ブラシ装置の提供となる。
【０００５】
アイスキャンディーの短く平なスティックに似たプラスチック製板の端に、１穴植毛した物、横２穴植毛した物、横３穴植毛した物、横３穴を２列植毛した物、横３穴を３列植毛した物、横３穴を４列植毛した物、横３穴を５列植毛した物、前記横３穴植毛を各横４穴にして植毛した物等の一方の端に係止用の穴を空けて成るコンパクト歯ブラシを作り、植毛する毛の太さや毛の性状、カットやデザインを色々と変えて、異なるタイプのコンパクト歯ブラシを製造する。
【０００６】
異なるタイプのコンパクト歯ブラシ数個を、係止用の穴にリングをはめて束ねて連結し  たコンパクト歯ブラシセットを製造する。
【０００７】
コンパクト歯ブラシを植毛部と取って部に分けて、其々分けたところに前記植毛部と取っ手部が連結開放出来る連結装置を予め備え、歯ブラシの植毛側と取っ手側を独立した歯ブラシの部品として製造する。
連結装置して独立した取っ手側に、植毛する毛の太さや性状カットの状態やデザイン色彩などを変えて異なるタイプをしている独立した植毛側等を、其々自在に手動で連結開放できることにより成る装置を提供しジョイント式コンパクト歯ブラシを製造する。
【０００８】
従来より在る棒状歯ブラシにおいても上記を援用した連結装置をしてなる独立した植毛側、取っ手側を製造する装置を提供し、ジョイント式歯ブラシを製造するのも良い。
また、互換する連結装置が在るコンパクト歯ブラシの部品と互換する連結装置が在る従来歯ブラシの部品を連結してなる装置を提供しジョイント式の混合歯ブラシも製造するのも良い。
コンパクト歯ブラシの製造について植毛部に１個又は複数個の植毛穴横５列以内にする事で植毛量を制限しないで、従来歯ブラシのように縦長の植毛でなく、植毛全体が横長を保った状態であるのが良い。
連結装置の形状は色々のタイプを用いる事が出来るが、大中小に分けてタイプや寸法規格を統一して、コンパクト歯ブラシ、従来タイプ歯ブラシ用の連結装置付きの植毛部、取っ手部には互換性を持たせて製造すると利用範囲が広がり無駄が無いから良い。其々の歯ブラシを製造する素材や材料については、プラスチック製、木製、金属製や新素材それらを混合したものや毛には動物の毛を使うのも良いが、素材や製品は口に入れて害に成らない素材を厳選するのが良い。取っ手側１本と数個の植毛側を常時携行すると良い。
【０００９】
連結する植毛部は連結する取っ手部の数倍の大量生産をするが、連結する取っ手部については連結する植毛部より少量の生産をするのが良い。連結する本発明の取っ手部については、少しの工作技術があれば容易にでき形状であるから、好みの材料を細工して自分で製作すれば、後は、数ある植毛部の中から自分に適したタイプを安価にて求められる。
連結装置を付けた部品として作る取っ手部は半永久的に使える形状として、色々の形にデザインを追求して製造される独立した部品であり物品であるから、名前を入れたり首から下げる認識票を兼ねたアクセサリーにしても良い。諸々の素材を使い象嵌細工や物の形を彫金、彫刻、塗装したり、文字を刻んだりして意匠を凝らした工芸品にするのもよい。
【００１０】
以上の手段を用い構成した歯ブラシとコンパクト歯ブラシの装置、並びに該装置をしてなる歯ブラシとコンパクト歯ブラシを全世界に製造販売して提供する事により、従来の歯ブラシでは解決できなかった課題を鮮やかに解決される。
歯磨きの励行が遅々として進まなかった原因は、従来の歯ブラシとその歯ブラシに慣れ親しんで、従来を疑わないで研究しなかったからに他ならない。
【００１１】
【作用】
上記のように構成した連結装置の無いコンパクト歯ブラシを使うときは、やわらかめの毛、普通の毛、硬めの毛など其々異なるタイプに植毛された数個のコンパクト歯ブラシ中から自分に最も適した１個を選び、ジョイント式コンパクト歯ブラシを使うときは好みの植毛側を選び装置のフックを、一方の手に持った取っ手側の装置フック止穴に差し込んで装着する。
コンパクト歯ブラシでもジョイント式コンパクト歯ブラシでも、水やコップや歯磨き剤を使う事無く、楊枝と歯ブラシ混ぜて使う感触で、歯の隅々を手早く磨く事が出来る。
テレビを観ながら、談笑しながら、歩きながら、車の中や、飛行機の中、レストランでの食前後、コーヒーの後、等などありとあらゆる場所で、歯を磨いたり歯茎のマッサージをする事が出来る。
一度使った歯ブラシは植毛部がしっかりしている時は再度使うために収め、洗って後に使う。
コンパクト歯ブラシでもジョイント式コンパクト歯ブラシの場合でも、植毛部がしっかりしている間は大切に使うが、磨き効果が無くなれば、廉価なものであるから早く取り替えるのが良い。
本発明歯ブラシのセットさえあれば、使う時や場所に影響されること無く、使用することが可能である。
掌中にすっぽりと入るほどの小さな歯ブラシで在るが、歯の内側を磨く時はブラシ縦に動かし、歯の外側を磨く時はブラシを横向きに動かすと操作が軽やかだが、とらわれずに好みで磨いたりするのが良い。
簡便すぎて使い過ぎないようにしないと歯茎を傷めることがあるから、慣れない内は控えめに使い次第に慣れればこの歯ブラシの特性が発揮される。
心地よく歯磨きが出来る。口にくわえているとタバコの数が少なくなるなどの派生効果もある。
コップ１杯の水を使わなくて済む派生効果、長い歯ブラシを短くしたり、歯ブラシの植毛側だけを求めればよくなる省資源効果も認められた。
その時その場で歯磨きが行えると、いつも口の中が爽やかで、健康な歯に感謝する。楊枝と歯ブラシを混ぜて、ひょいと作った小さな道具であるが、歯磨きが自然にコツコツ行える嬉しさ楽しさが、時間が経ってからしみじみと体中に伝わる。作用がある。
【００１２】
【実施例】
実施例について図を参照して説明すると、図１は植毛部に１穴植毛した楊枝と似た１穴植毛コンパクト歯ブラシであり、図３は植毛部に横３穴を２列植毛した横列植毛コンパクト歯ブラシである。
図２はコンパクト歯ブラシ数本をブラシの端にある穴を介して開放するリングで束ねたコンパクト歯ブラシセットである。
図４は連結装置を付けたコンパクト歯ブラシの植毛側であり、図５は連結装置を付けたコンパクト歯ブラシの取っ手側であり、図６は連結したコンパクト歯ブラシである。
図にはわざわざ書いてないがコンパクト歯ブラシだけでなく、従来形の歯ブラシにおいても植毛側と取っ手側を同様の手段で作り、連結する色々な植毛側を消耗品として大量に作り、連結する取っ手側は再使用ができる部品であるから量は控えめにして、植毛側と取っ手側が互換できる物を配慮してつくる。
【００１３】
【発明の効果】
本発明の効果は、人々が、従来の歯ブラシを使っていた時よりも数倍使いやすいコンパクト歯ブラシに変えると普及に比例して歯周病患者が減少する。
掌中に入るほどコンパクトな歯ブラシであるから、携帯していれば咄嗟に使いたい時があるとき、水やコップや歯磨き剤などを全く使わないでも手軽に歯や歯茎のブラッシングとマッサージが出来る。
摂食する食前、食中、食後に使えるから、食事が美味しい、コーヒーが美味い、いつも口の中が爽やかで心地よい。
お菓子や菜っ葉や肉の筋が歯の間に詰まっても咄嗟に歯ブラシを使えるから、該当する人にとっては大変有効であり、お年寄りには福音となる。
廉価に提供できる物品であるから、使用者にとって経済性がよいし、製造販売者にとっても掛かるコストが低いので事業化が容易である。
生産販売が開始されれば、その日から、限りある地球の水資源や石油ナフサの節約が始まり、ささやかでも地球規模の効果がある。
【図面の簡単な説明】
【図１】１穴植毛したコンパクト歯ブラシの略斜視図である
【図２】コンパクト歯ブラシをセットした略斜視図である
【図３】横列植毛したコンパクト歯ブラシの略斜視図である
【図４】ジョイント式コンパクト歯ブラシ植毛部の略斜視図である
【図５】ジョイント式コンパクト歯ブラシ取手部の略斜視図である
【図６】ジョイント式コンパクト歯ブラシのジョイント状態を示す略斜視図である
【符号の説明】
１  植毛部
２  １穴植毛コンパクト歯ブラシ
３  横列植毛コンパクト歯ブラシ
４  穴
５  リング
６  コンパクト歯ブラシセット
７  フック
８  フック止穴
９  取っ手側
１０  植毛側
１１  ジョイント式コンパクト歯ブラシ
１２  ジョイント式歯ブラシ
【図１】
2004249058.tif 000003
【図２】
2004249058.tif 000004
【図３】
2004249058.tif 000005
【図４】
2004249058.tif 000006
【図５】
2004249058.tif 000007
【図６】
2004249058.tif 000008